(57)【要約】本発明は、ディスプレイ・デバイス及びこれを組み込む液晶ディスプレイ用のバックライト・モジュールに係り、より詳しくは、単一の偏光状態にある光を発生させるバックライト・モジュールに関する。本発明は、光学キャビティの正面に入射した光を反射し偏光を解消するための光学キャビティと、複数の層を含む多層偏光子とを含むバックライト・モジュールを提供する。多層偏光子は、光学キャビティの正面に面し、これらの層は、可視波長範囲の少なくとも１つの所定波長の部分的範囲内で、多層偏光子の透過軸にほぼ平行な偏光を実質的に透過させ、かつほぼ直交する偏光を多層偏光子により実質的に反射させるように配置されている。層の少なくとも１つは、層内に少なくとも部分的に３次元構造を形成する棒状の超分子を含む。本発明は、液晶セル、正面偏光子、及び本発明の第１の態様によるバックライト・モジュールを含む液晶ディスプレイも提供する。バックライト・モジュールの多層偏光子は裏面パネルに面し、液晶ディスプレイの裏面偏光として機能する。
2009533811.tif 000002
【特許請求の範囲】
【請求項１】
光学キャビティの正面に入射する光を反射して偏光を解消するための光学キャビティと、
複数の層からなる多層偏光子とを備え、
前記多層偏光子は、前記光学キャビティの正面に面し、
前記層は、前記多層偏光子の透過軸にほぼ平行な偏光を実質的に透過させ、かつほぼ直交する偏光を可視波長範囲のうちの少なくとも１つの所定の部分的な波長範囲内で前記多層偏光子によって実質的に反射させるように配置され、
前記層の少なくとも１つは、前記層内に少なくとも部分的に３次元構造を形成する棒状の超分子を含むバックライト・モジュール。
【請求項２】
請求項１記載のバックライト・モジュールにおいて、
前記棒状の超分子が、共役π系と前記超分子間に非共有結合を形成可能な官能基とを有する少なくとも１種の多環式有機化合物からなるバックライト・モジュール。
【請求項３】
請求項２記載のバックライト・モジュールにおいて、
前記少なくとも１種の有機化合物が複素環であるバックライト・モジュール。
【請求項４】
請求項１〜３のいずれか一項に記載のバックライト・モジュールにおいて、
前記層の少なくとも１つが水不溶性であるバックライト・モジュール。
【請求項５】
請求項１〜４のいずれか一項に記載のバックライト・モジュールにおいて、
前記層の少なくとも１つが光学的に２軸性であるバックライト・モジュール。
【請求項６】
請求項１〜５のいずれか一項に記載のバックライト・モジュールにおいて、
前記棒状の超分子が、光学キャビティの正面にほぼ平行又は垂直に配向されているバックライト・モジュール。
【請求項７】
請求項２〜６のいずれか一項に記載のバックライト・モジュールにおいて、
前記非共有結合の少なくとも１つがＨ結合であるバックライト・モジュール。
【請求項８】
請求項２〜７のいずれか一項に記載のバックライト・モジュールにおいて、
前記非共有結合の少なくとも１つが配位結合であるバックライト・モジュール。
【請求項９】
請求項２〜８のいずれか一項に記載のバックライト・モジュールにおいて、
前記有機化合物が下記一般構造式Ｉを有するバックライト・モジュール。
【化１】
2009533811.tif 000015
（式中、Ｈｅｔは、少なくとも部分的に共役したほぼ平面状の複素環分子系であり、
Ｘは、カルボキシル基−ＣＯＯＨであり、
ｍは、０、１、２、３、又は４であり、
Ｙは、スルホン酸基−ＳＯ３Ｈであり、
ｎは、０、１、２、３、又は４であり、
Ｚは、カルボン酸基のアミドであり、
ｐは、０、１、２、３、又は４であり、
Ｑは、スルホン酸基のアミドであり、
ｖは、０、１、２、３、又は４であり、
Ｋは、対イオンであり、
ｓは、分子の中性状態をもたらす対イオンの数であり、
Ｒは、ＣＨ３、Ｃ２Ｈ５、ＮＯ２、Ｃｌ、Ｂｒ、Ｆ、ＣＦ３、ＣＮ、ＯＨ、ＯＣＨ３、ＯＣ２Ｈ５、ＯＣＯＣＨ３、ＯＣＮ、ＳＣＮ、ＮＨ２、及びＮＨＣＯＣＨ３からなる群より選択された置換基であり、
ｗは、０、１、２、３、又は４であり、
整数ｍが０である場合、ｎ及びｐの両方は０ではなく、整数ｎが０である場合、整数ｍは１以上である）
【請求項１０】
請求項９記載のバックライト・モジュールにおいて、
Ｈｅｔが、可視スペクトル範囲で実質的に透過性であるバックライト・モジュール。
【請求項１１】
請求項９又は１０記載のバックライト・モジュールにおいて、
Ｈｅｔが、構造ＩＩからＸＬＩＩからなる群より選択される下記一般構造式を有するバックライト・モジュール。
【化２】
2009533811.tif 000016
2009533811.tif 000017
2009533811.tif 000018
2009533811.tif 000019
【請求項１２】
請求項９〜１１のいずれか一項に記載のバックライト・モジュールにおいて、
前記対イオンが、Ｈ＋、ＮＨ４＋、Ｎａ＋、Ｋ＋、Ｌｉ＋、Ｂａ＋＋、Ｃａ＋＋、Ｍｇ＋＋、Ｓｒ＋＋、Ｚｎ＋＋からなる群より選択されるバックライト・モジュール。
【請求項１３】
請求項２〜１２のいずれか一項に記載のバックライト・モジュールにおいて、
前記有機化合物が、アセナフトキノキサリン誘導体であるバックライト・モジュール。
【請求項１４】
請求項１３記載のバックライト・モジュールにおいて、
前記アセナフトキノキサリン誘導体がカルボキシル基を含み、構造１から７のうちの１つに対応する下記一般構造式を有するバックライト・モジュール。
【化３】
2009533811.tif 000020
【請求項１５】
請求項１３記載のバックライト・モジュールにおいて、
前記アセナフトキノキサリン誘導体が、１又は２個のスルホン酸基を含み、構造８から１９に対応する下記一般構造式を有するバックライト・モジュール。
【化４】
2009533811.tif 000021
2009533811.tif 000022
【請求項１６】
請求項２〜１２のいずれか一項に記載のバックライト・モジュールにおいて、
前記有機化合物が、６，７−ジヒドロベンズイミダゾ［１，２−ｃ］キナゾリン−６−オン誘導体であるバックライト・モジュール。
【請求項１７】
請求項１６記載のバックライト・モジュールにおいて、
前記６，７−ジヒドロベンズイミダゾ［１，２−ｃ］キナゾリン−６−オン誘導体が、１又は２個のカルボキシル基−ＣＯＯＨを含み、構造２０から３２の１つに対応する下記一般構造式を有するバックライト・モジュール。
【化５】
2009533811.tif 000023
2009533811.tif 000024
【請求項１８】
請求項１７記載のバックライト・モジュールにおいて、
前記６，７−ジヒドロベンズイミダゾ［１，２−ｃ］キナゾリン−６−オン誘導体がスルホン酸基−ＳＯ３Ｈを含み、構造３３から４１からなる群より選択される下記一般構造式を有するバックライト・モジュール。
【化６】
2009533811.tif 000025
2009533811.tif 000026
【請求項１９】
請求項１６記載のバックライト・モジュールにおいて、
前記６，７−ジヒドロベンズイミダゾ［１，２−ｃ］キナゾリン−６−オン誘導体が、少なくとも１個の酸アミド基を含むバックライト・モジュール。
【請求項２０】
請求項１９記載のバックライト・モジュールにおいて、
前記少なくとも１個の酸アミド基が、カルボキシアミド基（ＣＯＮＨ２）であるバックライト・モジュール。
【請求項２１】
請求項１９に記載のバックライト・モジュールにおいて、
前記少なくとも１個の酸アミド基が、スルホンアミド基（ＳＯ２ＮＨ２）であるバックライト・モジュール。
【請求項２２】
請求項１〜２１のいずれか一項に記載のバックライト・モジュールにおいて、
前記複数の層が、光学的に２軸性及び等方性の層を交互に配置してなるバックライト・モジュール。
【請求項２３】
請求項２２記載のバックライト・モジュールにおいて、
少なくとも１つの等方性の層が、種々の屈折率を有する材料からなる少なくとも２つの副層を含むバックライト・モジュール。
【請求項２４】
請求項１〜２３のいずれか一項に記載のバックライト・モジュールにおいて、
前記多層偏光子が、入射角の全範囲に亘って光を偏光可能であるバックライト・モジュール。
【請求項２５】
請求項１〜２４のいずれか一項に記載のバックライト・モジュールにおいて、
各層の厚さが４分の１波長にほぼ等しく、複数の層の全体の厚さが約５マイクロメートルを超えないバックライト・モジュール。
【請求項２６】
請求項１〜２５のいずれか一項に記載のバックライト・モジュールにおいて、
各層の厚さが４分の１波長にほぼ等しく、複数の層の全体の厚さが約３マイクロメートルを超えないバックライト・モジュール。
【請求項２７】
請求項１〜２６のいずれか一項に記載のバックライト・モジュールにおいて、
複数の層における層の数が２０を超えないバックライト・モジュール。
【請求項２８】
請求項１〜２７のいずれか一項に記載のバックライト・モジュールにおいて、
前記層の数が１０を超えないバックライト・モジュール。
【請求項２９】
請求項１〜２８のいずれか一項に記載のバックライト・モジュールにおいて、
前記層の数が５を超えないバックライト・モジュール。
【請求項３０】
請求項２〜２９のいずれか一項に記載のバックライト・モジュールにおいて、
前記超分子が、２以上の前記多環式有機化合物からなるバックライト・モジュール。
【請求項３１】
請求項１〜３０のいずれか一項に記載のバックライト・モジュールにおいて、
前記多層偏光子の少なくとも１つの層が、紫外線を可視光に変換する蛍光材料からなるバックライト・モジュール。
【請求項３２】
請求項１〜３１のいずれか一項に記載のバックライト・モジュールにおいて、
前記多層偏光子の少なくとも１つの層が、４００ｎｍ以下の基礎吸収端を有するバックライト・モジュール。
【請求項３３】
請求項１〜３２のいずれか一項に記載のバックライト・モジュールにおいて、
前記多層偏光子が、０．９８以上の透過係数を有するバックライト・モジュール。
【請求項３４】
請求項１〜３３のいずれか一項に記載のバックライト・モジュールにおいて、前記光学キャビティが、更に、
ランプ・キャビティ・リフレクタによって半分包囲された少なくとも１つの光源と、
前記光源に面した縁部、及び多層偏光子に面した正面を有する光ガイドと、
前記光ガイドの裏面に配置された拡散反射構造と、
前記拡散反射構造の下方に位置付けられたミラー層と
を含むバックライト・モジュール。
【請求項３５】
請求項３４記載のバックライト・モジュールにおいて、
前記光源が、蛍光灯、白熱灯、固体光源、及びエレクトロルミネセンス（ＥＬ）デバイスからなる群より選択されるバックライト・モジュール。
【請求項３６】
請求項３４又は３５記載のバックライト・モジュールにおいて、
前記ミラー層が拡散反射層であるバックライト・モジュール。
【請求項３７】
請求項１〜３３のいずれか一項に記載のバックライト・モジュールにおいて、前記光学キャビティが、更に、
ランプ・キャビティ・リフレクタによって半分包囲された少なくとも１つの光源と、
前記光源に面した縁部、及び多層偏光子に面した正面を有する光ガイドと、
前記光ガイドの裏面に配置された４分の１波長遅延層と、
前記４分の１波長遅延層の下方に位置付けられたミラー層と
を含むバックライト・モジュール。
【請求項３８】
請求項３７記載のバックライト・モジュールにおいて、
前記光源が、蛍光灯、白熱灯、固体光源、及びエレクトロルミネセンス（ＥＬ）デバイスからなる群より選択されるバックライト・モジュール。
【請求項３９】
請求項３７又は３８記載のバックライト・モジュールにおいて、
前記ミラー層が拡散反射層であるバックライト・モジュール。
【請求項４０】
請求項１〜３３のいずれか一項に記載のバックライト・モジュールにおいて、前記光学キャビティが、更に、
前記光学キャビティの正面に面した正面、及び隆起付き裏面を有する裏面プレートと、
前記裏面プレートの隆起付き裏面上に設けられた反射遅延フィルムと、
該裏面プレートの正面に面する両面エレクトロルミネセンス・パネルと
を含むバックライト・モジュール。
【請求項４１】
請求項４０記載のバックライト・モジュールにおいて、
透明基板が、前記両面エレクトロルミネセンス・パネル上に位置付けられているバックライト・モジュール。
【請求項４２】
請求項１〜３３のいずれか一項に記載のバックライト・モジュールにおいて、前記光学キャビティが、更に、
前記光学キャビティの正面に面した正面、及び裏面を有する散乱構造と、
前記散乱構造の裏面上に位置付けられた反射フィルムと、
前記散乱構造の正面に面する両面エレクトロルミネセンス・パネルと
を含むバックライト・モジュール。
【請求項４３】
請求項１〜３３のいずれか一項に記載のバックライト・モジュールにおいて、前記光学キャビティが、更に、
正面及び裏面を有する散乱構造であって、前記正面が光学キャビティの正面に面している散乱構造と、
前記散乱構造の正面に位置付けられた基板と、
該散乱構造の裏面に位置付けられた片面エレクトロルミネセンス・パネルと
を含むバックライト・モジュール。
【請求項４４】
請求項１〜３３のいずれか一項に記載のバックライト・モジュールにおいて、前記光学キャビティが、更に、
前記光学キャビティの正面に面する正面、裏面、及び縁部を有する光ガイドと、
前記光ガイドに光を放出するため同光ガイドの縁部に光学的に接続された光源と、
前記光ガイドの正面に位置付けられた遅延フィルムと、
前記光ガイドの裏面に近接し、かつ法線入射光の少なくとも約８０％及び法線に対して６０度の角度で入射する光の少なくとも約８０％を反射する反射フィルムからなる裏面リフレクタと
を含むバックライト・モジュール。
【請求項４５】
機能層を含む正面パネル、液晶層、及び機能層を含む裏面パネルからなる液晶セルと、前記正面パネルに面する正面偏光子と、請求項１〜４４のいずれか一項に記載のバックライト・モジュールとからなる液晶ディスプレイであって、
前記バックライト・モジュールの多層偏光子が裏面パネルに面し、前記液晶ディスプレイの裏面偏光子として機能する液晶ディスプレイ。
【請求項４６】
請求項４５記載の液晶ディスプレイは、更に
前記正面偏光子上に位置付けられた反射防止コーティングを含む液晶ディスプレイ。
【請求項４７】
請求項４５又は４６記載の液晶ディスプレイは、更に
裏面パネルとバックライト・モジュールとの間に位置付けられた偏光子を含み、多層偏光子の透過軸にほぼ平行な透過軸を有する液晶ディスプレイ。
【請求項４８】
請求項４５〜４７のいずれか一項に記載の液晶ディスプレイにおいて、
前記正面パネルの機能層が、電極層、アライメント層、平坦化層、遅延層、光反射層、カラー・フィルタ層、保護層、上記層のうちの少なくとも２つとして同時に機能する層、及びこれらの組合せからなる群より選択された少なくとも１つの層を含む液晶ディスプレイ。
【請求項４９】
請求項４５〜４８のいずれか一項に記載の液晶ディスプレイにおいて、
前記裏面パネルの機能層が、電極層、アライメント層、平坦化層、遅延層、光反射層、カラー・フィルタ層、保護層、上記層のうちの少なくとも２つとして同時に機能する層、及びこれらの組合せからなる群より選択された少なくとも１つの層を含む液晶ディスプレイ。
【請求項５０】
請求項４８又は４９記載の液晶ディスプレイにおいて、
前記少なくとも１つの電極層が、存在する場合には、ＩＴＯから形成される液晶ディスプレイ。
【請求項５１】
請求項４８〜５０のいずれか一項に記載の液晶ディスプレイにおいて、
前記少なくとも１つの保護層が、存在する場合には、伝導性である液晶ディスプレイ。
【請求項５２】
請求項４８〜５１のいずれか一項に記載の液晶ディスプレイにおいて、
前記少なくとも１つの保護層が、存在する場合には、酸化ケイ素、重金属の酸化物、ポリマー、及びこれらの組合せからなる群より選択された部材から形成される液晶ディスプレイ。
【請求項５３】
請求項４５〜５２のいずれか一項に記載の液晶ディスプレイにおいて、
垂直配列型の液晶セルを含む液晶ディスプレイ。
【請求項５４】
請求項４５〜５２のいずれか一項に記載の液晶ディスプレイにおいて、
面内切替型の液晶セルを含む液晶ディスプレイ。
【請求項５５】
請求項４５〜５２のいずれか一項に記載の液晶ディスプレイにおいて、
超ねじれモードの液晶セルを含む液晶ディスプレイ。
【請求項５６】
請求項４５〜５２のいずれか一項に記載の液晶ディスプレイにおいて、
ねじれモードの液晶セルを含む液晶ディスプレイ。
【発明の詳細な説明】
【技術分野】
【０００１】
本発明は、ディスプレイ・デバイス用のバックライト・モジュール、及びそれを組み込む液晶ディスプレイに関する。
【背景技術】
【０００２】
薄型、軽量、及び低消費電力を特徴とするフラット・パネル・ディスプレイは、携帯用デバイスのディスプレイとしての用途が増えつつある。様々なタイプのフラット・パネル・ディスプレイの中で、液晶ディスプレイ（ＬＣＤ）デバイスは、その優れた解像度、カラー画像、及び表示品質により、ラップトップ・コンピュータ及びデスクトップ・モニタにおいて最も広く使用されている。
【０００３】
ＬＣＤデバイスは、所定の画像を生成するために、液晶分子の光学異方性及び偏光特性を使用する。液晶分子は、特定の特徴に影響を受ける明確な配向を有する。この配向は、液晶分子の軸の両端に印加された電界によって修正される。言い換えれば、分子の軸の両端に印加された電界によって、液晶分子の配向が変更される。光学異方性によって、入射光は、液晶分子の配向に応じて屈折する。
【０００４】
ＬＣＤデバイスは、電極を備えた上部及び下部基板と、両基板間に閉じ込められた液晶物質の層とを含む。電極は、間隔を空けて互いに対向するように配置されている。各基板上に配置された電極の助けを借りて、電圧を液晶層に印加した場合、液晶分子の配列方向は、印加電圧に応じて変化することにより所望の画像を表示する。印加電圧の制御によって、データ画像を表示するように、ＬＣＤデバイスに光線の様々な透過率がもたらされる。
【０００５】
ＬＣＤデバイスのそれ自体は、光を放出せず、入射光の透過率を制御するだけである。従って、各ＬＣＤデバイスは、追加の光源を必要とする。特に、ＬＣＤデバイスは、バックライト・モジュールのかたちをした光源を使用することがある。バックライト・モジュールは、ランプ（１又は複数）の配置に応じて、「直下型バックライト」（又は単に「直下型」）と、「エッジ型バックライト」（又は単に「エッジ型」）とに分類される。直下型のバックライト・モジュールを液晶ディスプレイ・デバイスに使用する場合、ランプから放射される光線は、ＬＣＤパネル上に直接的に入射される。エッジ型バックライト・モジュールを使用する場合、ランプから放射された光線は、光ガイドやリフレクタを介してＬＣＤパネルに進入する。光ガイドは、全内部反射により光ガイドの長さに沿って光を伝達する光学的に透明な材料から形成されている。最終的に、光線は、光ガイドの背面から正面に向けて、光ガイドの前縁から出ることの可能な角度で反射される。ガイドから出る光をパネル上に均一に分布させるため、反射ドット、チャネル、ファセットなどの反射メカニズムが使用される。
【０００６】
蛍光灯などの非平行光源を用いるバックライト・モジュールは、通常は、少なくとも２つのリフレクタを組み込む。ランプ・キャビティ・リフレクタは、光ガイドから離れた方向に放出された光をガイドに向けて反射させるために使用される。リフレクタは、鏡面反射性又は拡散性であってもよいが、鏡面リフレクタが最も頻繁に用いられる。
【０００７】
第２のリフレクタは、光ガイドの背面から光を反射させるために光ガイドの背面付近に設けられると共に、この光を光ガイドの正面に向けて送り出して、視聴者に（ＬＣＤデバイスに）伝達する。
【０００８】
ランプ・キャビティ及び光ガイドの背面で使用される従来のリフレクタの主な欠点として、光吸収が比較的高く、入射光の透過率が高いことがある。通常のリフレクタは、入射光の約４〜１５％を吸収するか、或いは透過させる。この光の一部は、明らかに、視聴者によって利用されず、結果として、吸収及び又は透過がバックライト・モジュールの性能を低下させてしまう。
【発明の開示】
【発明が解決しようとする課題】
【０００９】
情報技術時代の到来と共に、高品質ＬＣＤに対する需要が増大している。高品質画像の形成には、光源から放出された放射線のより有効な利用が求められている。従来より、ＬＣＤバックライト・モジュールから出力された単一偏光光線を得るため、望ましくない偏光を有する光線の通過を阻止するように、偏光板をＬＣＤデバイスとバックライト・モジュールとの間に配置していた。実際には、単一偏光状態の光線の強度は、照度の観点から見て、初期の光線の半分に満たない程度である。
【課題を解決するための手段】
【００１０】
第１の態様において、本発明は、光学キャビティの正面に入射する光を反射して偏光を解消するための光学キャビティと、多層偏光子とを備えたバックライト・モジュールを提供する。多層偏光子は、複数の層からなる。この偏光子は、光学キャビティの正面に面し、複数の層は、多層偏光子の透過軸にほぼ平行な偏光の光を実質的に透過させ、かつほぼ直交する偏光の光を可視波長範囲のうちの少なくとも１つの所定の部分的な波長範囲で多層偏光子によって実質的に反射させるように配置される。層の少なくとも１つは、層内に少なくとも部分的に３次元構造を形成する棒状超分子を含む。
【００１１】
第２の態様において、本発明は、液晶セルと、正面偏光子と、本発明の第１の態様によるバックライト・モジュールとを備えた液晶ディスプレイを提供する。液晶セルは、機能層からなる正面パネルと、液晶層と、機能層からなる裏面パネルとからなる。正面偏光子は、正面パネルに面している。バックライト・モジュールの多層偏光子は、裏面パネルに面し、液晶ディスプレイの裏面偏光子として機能する。
【００１２】
本発明の概要について述べたが、単なる例示目的のため本明細書に示されかつ添付の特許請求の範囲に限定されず、特定の好ましい実施形態を参照することによって、理解を更に深めることができる。
【００１３】
本発明は、光学キャビティの正面に入射する光を反射して偏光を解消する光学キャビティと、多層偏光子とを備えたバックライト・モジュールを提供する。多層偏光子は、複数の層からなる。この偏光子は、光学キャビティの正面に面し、複数の層は、多層偏光子の透過軸にほぼ平行な偏光の光を実質的に透過させ、かつほぼ直交する偏光を可視波長範囲のうちの少なくとも１つの所定の部分的な波長範囲で多層偏光子によって実質的に反射させるように配置される。層の少なくとも１つは、層内に少なくとも部分的に３次元構造を形成する棒状超分子からなる。
【００１４】
超分子は、平らなπ共役分子をスタック状に会合させたものであり、会合している分子の数は、温度や、圧力、添加剤などの形成条件によって定義され、分子の構造や官能基の組成などによって精密にかつ明確に制御されない。
【００１５】
本発明の好ましい実施形態において、棒状超分子は、共役π系と超分子間に非共有結合を形成可能な官能基とを有する少なくとも１種の多環式有機化合物からなる。１つの分子の官能基は、これらの官能基が相互に作用して、スタック間非共有結合が形成され、非共有結合の完全飽和３次元網状構造が形成されるように設計される。複数の層は、可視波長範囲の全体ではなく一部でのみ電磁放射線を透過させることができ、波長域のこの範囲を部分的範囲と呼ぶ。この部分的範囲は、共役π系及び官能基を有する各多環式有機化合物に対して、実験的にそれぞれ決定される。
【００１６】
本発明の別の好ましい実施形態において、少なくとも１つの有機化合物は、複素環である。本発明のさらに別の好ましい実施形態では、層の少なくとも１つが水不溶性である。１つの分子の官能基の組合せは、非共有結合の網状構造によって、超分子の一部である分子の結晶構造の３次元構造内に水が含まれるのを阻止するように設計される。
【００１７】
本発明の別の好ましい実施形態において、層の少なくとも１つは、光学的に２軸性である。本発明の別の好ましい実施形態では、棒状超分子が、光学キャビティの正面にほぼ平行又は直角に配向されている。本発明のさらに別の好ましい実施形態では、非共有結合の少なくとも１つがＨ結合である。本発明のさらに別の好ましい実施形態では、非共有結合の少なくとも１つが配位結合である。
【００１８】
バックライト・モジュールの一実施形態において、有機化合物は、下記一般構造式Ｉを有する
【００１９】
【化１】
2009533811.tif 000003
（式中、Ｈｅｔは、少なくとも部分的に共役するほぼ平面状の複素環分子系であり；Ｘは、カルボキシル基−ＣＯＯＨであり；ｍは、０、１、２、３、又は４であり；Ｙは、スルホン酸基−ＳＯ３Ｈであり；ｎは、０、１、２、３、又は４であり；Ｚは、カルボン酸基のアミドであり；ｐは、０、１、２、３、又は４であり；Ｑは、スルホン酸基のアミドであり；ｖは、０、１、２、３、又は４であり；Ｋは、対イオンであり；ｓは、分子の中性状態をもたらす対イオンの数であり；Ｒは、ＣＨ３、Ｃ２Ｈ５、ＮＯ２、Ｃｌ、Ｂｒ、Ｆ、ＧＦ３、ＣＮ、ＯＨ、ＯＣＨ３、ＯＣ２Ｈ５、ＯＣＯＣＨ３、ＯＣＮ、ＳＣＮ、ＮＨ２、及びＮＨＣＯＣＨ３からなる群より選択された置換基であり；ｗは、０、１、２、３、又は４であり；整数ｍが０である場合、ｎ及びｐの両方は０ではなく、整数ｎが０である場合、整数ｍは１以上である）。好ましくは、Ｋは、下記のイオン；Ｈ＋、ＮＨ４＋、Ｎａ＋、Ｋ＋、Ｌｉ＋、Ｂａ＋＋、Ｃａ＋＋、Ｍｇ＋＋、Ｓｒ＋＋、Ｚｎ＋＋からなる群より選択される。１価の対イオン（Ｈ＋、ＮＨ４＋、Ｎａ＋、Ｋ＋、Ｌｉ＋、）は、有機化合物の電気的中性をもたらすために用いられる。多価対イオン（Ｂａ＋＋、Ｃａ＋＋、Ｍｇ＋＋、Ｓｒ＋＋、Ｚｎ＋＋）は、有機化合物を安定化させ、その不溶性をもたらすために用いられる。
【００２０】
バックライト・モジュールの一実施形態において、Ｈｅｔは、可視スペクトル範囲で実質的に透過性である。本発明では、可視範囲の下限が４００ｎｍにほぼ等しく、上限が７００ｎｍにほぼ等しいと想定される。少なくとも部分的に共役する複素環分子系の例は、限定されないが、表１に示す例示的な一般構造式ＩＩ〜ＸＬＩＩによって示される。
表１．可視スペクトル範囲内で実質的に透過性のある、少なくとも部分的に共役する実質的に平面状の複素環分子系（Ｈｅｔ）の例
【００２１】
【化２】
2009533811.tif 000004
2009533811.tif 000005
2009533811.tif 000006
2009533811.tif 000007
開示されたバックライト・モジュールの１つの好ましい実施形態において、有機化合物は、アセナフトキノキサリン誘導体である。少なくとも１個のカルボキシル基を含有し（ｍは１、２、３又は４）、かつ構造１〜７に対応する一般構造式を有するアセナフトキノキサリンスルホンアミド誘導体の例を、表２に示す。
表２．カルボキシル基を含有するアセナフトキノキサリンスルホンアミド誘導体の例
【００２２】
【化３】
2009533811.tif 000008
開示されるバックライト・モジュールの別の実施形態において、有機化合物は、少なくとも１個のスルホン基を含み、但し、ｎは、１、２、３又は４である。１又は２個のスルホン酸基を含有し、かつ構造８〜１９に対応する一般構造式を有するアセナフトキノキサリンスルホンアミド誘導体の例を、表３に示す。
表３．スルホン酸基を含有するアセナフトキノキサリンスルホンアミド誘導体の例
【００２３】
【化４】
2009533811.tif 000009
2009533811.tif 000010
バックライト・モジュールの別の好ましい実施形態において、有機化合物は、６，７−ジヒドロベンズイミダゾ［１，２−ｃ］キナゾリン−６−オン誘導体である。誘導体は、官能基として、少なくとも１個のカルボキシル基、又は、少なくとも１個の酸アミド基を含んでもよい。誘導体が少なくとも１個のカルボキシル基を含むこれらの実施形態では、整数ｍは１、２、３又は４であってもよい。
【００２４】
１又は２個のカルボキシル基−ＣＯＯＨを含む６，７−ジヒドロベンズイミダゾ［１，２−ｃ］キナゾリン−６−オン誘導体であって、構造２０から３２を含む基から得られた一般構造式を有する誘導体の例を表４に示す。
表４．カルボキシル基を含有する６，７−ジヒドロベンズイミダゾ［１，２−ｃ］キナゾリン−６−オン誘導体の例
【００２５】
【化５】
2009533811.tif 000011
2009533811.tif 000012
６，７−ジヒドロベンズイミダゾ［１，２−ｃ］キナゾリン−６−オン誘導体が少なくとも１個の酸アミド基を含むこれらの実施形態において、少なくとも１個の酸アミド基は、カルボキシアミド基（ＣＯＮＨ２）であってもよい。６，７−ジヒドロベンズイミダゾ［１，２−ｃ］キナゾリン−６−オン誘導体が少なくとも１個の酸アミド基を含むその他の好ましい実施形態では、少なくとも１個の酸アミド基は、スルホンアミド基（ＳＯ２ＮＨ２）であってもよい。
【００２６】
開示されたバックライト・モジュールの別の好ましい実施形態において、６，７−ジヒドロベンズイミダゾ［１，２−ｃ］キナゾリン−６−オン誘導体は、少なくとも１個のスルホン酸基−ＳＯ３Ｈを含む。誘導体が少なくとも１個のスルホン酸基を含む実施形態では、整数ｎは、１、２、３又は４であってもよい。スルホン酸基−ＳＯ３Ｈを含む６，７−ジヒドロベンズイミダゾ［１，２−ｃ］キナゾリン−６−オン誘導体であって、構造３３から４１からなる群より得られた一般構造式を有する誘導体の例を、表５に示す。
表５．スルホン酸基を含有する６，７−ジヒドロベンズイミダゾ［１，２−ｃ］キナゾリン−６−オン誘導体の例
【００２７】
【化６】
2009533811.tif 000013
2009533811.tif 000014
開示された本発明の１つの好ましい実施形態において、複数の層は、光学的に２軸性及び等方性の層を交互に配置して得られる。本発明の別の好ましい実施形態では、少なくとも１つの等方性層が、異なる屈折率を有する材料からなる少なくとも２つの副層からなる。本発明のさらに別の好ましい実施形態では、多層偏光子は、入射角の全範囲に亘って光を偏光可能である。本発明のさらに別の好ましい実施形態では、複数の層の全厚は、約５マイクロメートルを超えず、このときの各層の厚さは、４分の１波長にほぼ等しい。本発明の別の好ましい実施形態では、複数の層の全厚が約３マイクロメートルを超えず、このときの各層の厚さは４分の１波長にほぼ等しい。本発明の別の実施形態では、複数の層における層の数は２０を超えない。本発明の別の好ましい実施形態では、その層の数は１０を超えない。本発明のさらに別の実施形態では、層の数は５を超えない。
【００２８】
本発明の一実施形態において、棒状超分子は、２以上の多環式有機化合物からなる。
開示されたバックライト・モジュールの一実施形態において、多層偏光子の少なくとも１つの層は、紫外線を可視光に変換可能な蛍光材料からなる。開示されたバックライト・モジュールの別の実施形態では、多層偏光子の少なくとも１つの層が、４００ｎｍ以下の基礎吸収端を有する。開示されたバックライト・モジュールの別の実施形態では、多層偏光子が０．９８以上の透過係数を有する。開示されたバックライト・モジュールのさらに別の実施形態では、多層偏光子の少なくとも１つの層は、可視スペクトル範囲内で均一に透過性がある。
【００２９】
開示されたバックライト・モジュールの一実施形態において、光学キャビティは、光学キャビティの正面に面する隆起付き裏面を有する裏面プレートと、裏面プレートの隆起付き裏面上に配置された反射遅延フィルムと、裏面プレートに対向して位置付けられた両面エレクトロルミネセンス・パネル（光源として機能する）と、両面エレクトロルミネセンス・パネル上に位置付けられかつ側面を有する透明基板とからなる。一実施形態では、バックライト・モジュールは、更に、基板の側面上に配置された反射フィルムを含む。
【００３０】
開示されたバックライト・モジュールのさらに別の実施形態において、光学キャビティは、光学キャビティの正面に面した正面及び裏面を有する散乱構造と、散乱構造の裏面上に配置された反射フィルムと、散乱構造の正面に面した両面エレクトロルミネセンス・パネルとからなる。
【００３１】
開示されたバックライト・モジュールの別の実施形態において、光学キャビティは、光学キャビティの正面に面した正面及び裏面を有する散乱構造と、散乱構造の正面上に位置付けられた基板と、散乱構造の裏面上に位置付けられた片面エレクトロルミネセンス・パネルとからなる。さらに別の実施形態では、バックライト・モジュールは、照明層、絶縁層、及び２個の透明電極からなる両面エレクトロルミネセンス・パネルを含む。照明層及び絶縁層は隣接しており、透明電極間に位置付けられている。開示された本発明の一実施形態では、バックライト・モジュールは、更に、基板の側面上に配置された反射フィルムを含む。さらに別の実施形態では、バックライト・モジュールは、光線の出射角及び拡散角を制御するために、多層偏光子上に配置された波状フィルムを含む。
【００３２】
開示されたバックライト・モジュールの別の実施形態において、光学キャビティは、更に、（ｉ）光学キャビティの正面に面した正面、裏面、及び縁部を有する光ガイドと、（ｉｉ）光ガイドに光を放出するため同光ガイドの縁部に光学的に接続された光源と、（ｉｉｉ）光ガイドの正面の上方に位置付けられた位相差フィルムと、（ｉｖ）垂直入射光の少なくとも約８０％及び法線に対して６０°の角度で入射した光の少なくとも約８０％を反射する反射フィルムからなる光ガイドの裏面に近接した裏面リフレクタとを含む。
【００３３】
本発明は、液晶セル、正面偏光子、及び本発明の第１の態様によるバックライト・モジュールからなる液晶ディスプレイも提供する。液晶セルは、機能層からなる正面パネル、液晶層、及び機能層を含む裏面パネルを備える。正面偏光子は、正面パネルに面する。バックライト・モジュールの多層偏光子は裏面パネルに面し、液晶ディスプレイの裏面偏光子として機能する。本発明の一実施形態では、開示された液晶ディスプレイは、更に、正面偏光子上に位置付けられた反射防止コーティングを含む。本発明の別の実施形態では、開示された液晶ディスプレイは、裏面パネルとバックライト・モジュールとの間に位置付けられ、更に、多層偏光子の透過軸にほぼ平行な透過軸を有する偏光子を含む。
【００３４】
開示された液晶ディスプレイのさらに別の実施形態において、正面パネルの機能層は、電極層、アライメント層、平坦化層、遅延層、光反射層、カラー・フィルタ層、保護層、上記層のうちの少なくとも２つとして同時に機能する層、及びこれらの組合せからなる群より選択された少なくとも１つの層を含む。開示された液晶ディスプレイのその他の実施形態では、裏面パネルの機能層が、電極層、アライメント層、平坦化層、遅延層、光反射層、カラー・フィルタ層、保護層、上記層のうち少なくとも２つとして同時に機能する層、及びこれらの組合せからなる群より選択された少なくとも１つの層を含む。開示された液晶ディスプレイのさらに別の実施形態では、少なくとも１つの電極層は、存在する場合には、ＩＴＯから形成される。開示された液晶ディスプレイのさらに別の実施形態では、少なくとも１つの保護層は伝導性である。従って、開示された液晶ディスプレイの可能性ある実施形態では、少なくとも１つの保護層が、酸化ケイ素及び又は重金属若しくはポリマーの酸化物から形成される。
【００３５】
本発明の一実施形態において、液晶ディスプレイは、垂直配列型の液晶セルからなる。本発明の別の実施形態では、液晶ディスプレイは、面内切替型の液晶セルからなる。本発明のさらに別の実施形態では、液晶ディスプレイは、超ねじれモードの液晶セルからなる。本発明の一実施形態では、液晶ディスプレイは、ねじれモードの液晶セルからなる。
【００３６】
本発明のその他の目的及び利点は、以下に示す添付の特許請求の範囲を読み、また図面を参照することによって、明らかになる。
【発明を実施するための最良の形態】
【００３７】
図１は、本発明の一実施形態によるバックライト・モジュールの断面を示す。この実施形態では、エッジ型バックライトの光学キャビティ１が、ランプ・キャビティ・リフレクタ３によって半分包囲された光源２を含む。光源２は、任意のものであってもよく、例えば、蛍光灯、白熱灯、固体光源、エレクトロルミネセンス（ＥＬ）デバイスなどが挙げられる。以下に示す実施形態は、一般に、そのような１つの光源を含むが、本発明のバックライト・システムは、明らかに、同一又は異なる位置に設けられ、かつ必要な量の光を供給可能に組み合わされた２つ以上の光源であってもよい。好ましい実施形態では、光源２は、ランダム偏光を有する光を放出する光源からなる。光源２からの光は光ガイド４に結合され、スポット５などの拡散反射構造に到達するまでの間伝播する。光ガイド４は、光源に面する縁部と、多層偏光子に面する正面とを有する。スポットの不連続アレイは、光を抽出するように、かつ光を観察者６に向けて配置されている。光ガイド４からの光の抽出に用いられる機構は、光ガイドの裏面７上の拡散反射スポットを用いることに制限されず、任意の他の適切な機構を用いることができる。抽出メカニズムの例として、裏面７上でのチャネルの形成、擬似楔型光ガイド４に関連した不連続性、及び楔形光ガイド内の反射角の増大、並びに、リフレクタをガイドに接続してガイド内での光散乱を確実に拡散させる柱等が挙げられる（しかしながら、これらに限定されない）。光学キャビティ１に進入する周囲の光は、スポットに衝突するか、或いはスポット間の隙間領域を通って光ガイドから外に出る可能性がある。ミラー層８は、そのような光線を妨害し反射するように、光ガイド４の下方に設けられている。ミラー層は、拡散反射することができる。一般に、光学キャビティ１から出てくる全ての光線は、矢印９によって示される。これらの光線は、第１の偏光状態（ａ）を有する光を透過する多層偏光子１０に入射されると共に、直交偏光状態（ｂ）を有する光を効率的に反射する。その結果、矢印１１に示される所定量の光が多層偏光子１０を透過する一方で、実質的な量の残存光が矢印１２に示すように反射する。好ましい多層偏光子材料は非常に有効であり、多層偏光子１０内での吸収による全損失は非常に低く１％程度である。この損失は、矢印１３に示される。多層偏光子１０により反射される偏光状態（ｂ）内の光は、光学キャビティ１に再び進入し、スポット５やミラー層８などの拡散反射構造と衝突する。拡散反射面は、光学キャビティ１によって反射された光の偏光状態をランダム化する。この再循環及びランダム化のプロセスは経路１４として示される。光学キャビティ１は完全リフレクタではない。散乱及び吸収に起因するキャビティ内の光損失を矢印１５に示す。これらの損失もまた低くなっている。光キャビティ１及び多層偏光子１０を組合せて行われる多重再循環は、最終的には観察者６に伝達されるように、偏光状態（ｂ）から状態（ａ）へと光を変換するための有効なメカニズムを提供する。
【００３８】
図２は、本発明の一実施形態によるバックライト・モジュールの断面を示す。この実施形態では、エッジ型バックライトの光キャビティ１は、ランプ・キャビティ・リフレクタ３によって半分包囲された光源２を含む。光源２は、任意のものであってもよく、例えば、蛍光灯、白熱灯、固体光源、エレクトロルミネセンス（ＥＬ）デバイスなどが挙げられる。以下に示す実施形態は、一般に、そのような光源の１つを含むが、本発明のバックライト・システムは、明らかに、同一又は異なる位置に設けられ、かつ必要な量の光を供給可能に組み合わされた２つ以上の光源であってもよい。好ましい実施形態では、光源２は、ランダム偏光を有する光を放出する光源からなる。光源２からの光は光ガイド４に結合されて伝播する。光キャビティは、４分の１波長遅延層３１及びミラー層３２を含む。ミラー層は拡散反射層であってもよい。
【００３９】
図３は、本発明の別の実施形態によるバックライト・モジュールの断面を示す。バックライト・モジュールは、光キャビティ１及び多層偏光子１０からなる層状構造である。光キャビティは、裏面プレート１６、両面エレクトロルミネセンス・パネル１７、及び透明基板１８を含む。裏面プレート１６は、反射遅延フィルム１９により覆われた隆起付き裏面を有している。反射遅延フィルム１９は、入射した光線を偏光の観点から変換すると共に、変換した光線を多層偏光子１０に向けて反射する。この実施形態では、裏面プレート１６の隆起付き裏面上において隣接する２つの隆起間の溝角度は９０°である。しかしながら、光線の反射に適した他の溝角度を利用することもできる。多層偏光子１０は、所定の偏光状態にある光線の透過を可能にし、その他の偏光状態にある光線の反射を可能にする。例えば、スタック層の構造は、本発明の多層偏光子として利用することができる。その結果、所定の偏光状態にある偏光光線はスタック層の構造を透し、別の所定の偏光状態にある偏光光線は反射される。製造技術を考慮すると、基板１８は、任意の適切な光学材料から、例えばプラスチックやあらゆる種類のガラスから形成される。
【００４０】
図４は、本発明の別の実施形態によるバックライト・モジュールの断面を示す。バックライト・モジュールは、光学キャビティ１及び多層偏光子１０からなる層状構造である。光学キャビティは、裏面プレート１６、及び両面エレクトロルミネセンス・パネル１７を含む。裏面プレート１６は、反射遅延フィルム１９により覆われた隆起付き底面を有している。反射遅延フィルム１９は、入射した光線を偏光の観点から変換すると共に、変換した光線を多層偏光子１０に向けて反射する。この実施形態では、裏面プレート１６の隆起付き底面上において隣接する２つの隆起間の溝角度は９０°である。しかしながら、光線の反射に適した他の任意の溝角度を利用することもできる。多層偏光子１０は、所定の偏光状態にある光線の透過を可能にし、その他の所定の偏光状態にある光線の反射を可能にする。
【００４１】
図５は、本発明の別の実施形態によるバックライト・モジュールを示す。バックライト・モジュールは、両面エレクトロルミネセンス・パネル１７及び光散乱構造２０を含む。散乱構造２０の裏面には、高反射率の反射フィルム２１が設けられている。多層偏光子１０は、観察者６と両面エレクトロルミネセンス・パネル１７との間に設けられている。このように、本発明の先の実施形態による光線の偏光状態の変換は、散乱構造２０による散乱作用に基づいて実現することができる。散乱構造は、塗装工程によって形成され、種々の光学係数を有する材料から形成されることに留意すべきである。また、この構造からの散乱の作用は粗面を通じて発揮することもできる。
【００４２】
図６は、本発明のさらに別の実施形態によるバックライト・モジュールを示す。この実施形態では、光散乱構造２０が、片面エレクトロルミネセンス・パネル２２の正面と基板１８との間に設けられている。一方で、裏面プレートは省略されている。同様に、光線の偏光状態の変換は、構造２０からの散乱を通して行われる。多層偏光子１０は、観察者６と基板１８との間に設けられている。他の実施形態では、バックライト・モジュールの構造をさらに簡素化するため、基板１８を省略することもできる。
【００４３】
図７に示されるバックライト・モジュールは、光学キャビティ１と、観察者６及び光学キャビティ１の間に設けられた多層偏光子１０とを備えている。光学キャビティは、光源２３と、リフレクタ２４と、光源及びリフレクタ上に設けられた遅延プレート２５とからなる。光源２３は、例えば、放電灯やＬＥＤマトリックス等の光源のアセンブリからなる。バックライト・システムの後方に配置されるリフレクタ２４は、光源放出のより効果的な使用を提供することができる。リフレクタは、任意のもの、反射性又は拡散性であってもよい。
【００４４】
図８は、本発明の一実施形態による液晶ディスプレイの断面を示す。この実施形態では、光学キャビティ１は、図１に示すものと類似している。多層偏光子１０は、光学キャビティ１の正面に面する。液晶ディスプレイは、正面パネル２７、液晶層２８、及び裏面パネル２９からなる液晶セル２６を含む。バックライト・モジュールの多層偏光子１０は、裏面パネル２９に面し、液晶ディスプレイの裏面偏光子として機能する。正面偏光子３０は、液晶セルの正面パネル２７に面する。
【００４５】
本発明をより良く理解するため、本発明の例示であって発明の範囲を限定しない下記の実施例を参照する。
多層偏光子の所望の性能は、各層及び層の総数による屈折率及び厚さを制御することによって得られる。多層偏光子の設計の重要な態様の１つに、基本構造の選択が挙げられる。一般には、広帯域多層偏光子は、入射光の偏光面内に高屈折率及び低屈折率を有する２重層の周期構造のかたちで設計される。同じ対の層が、性能を満たすまで繰り返し加えられる。この構造は、（ＨＬ）ｊ−１Ｈの形を有しており、但し、Ｈ及びＬは高屈折率層及び低屈折率層、２軸層及び等方性透明ラッカーをそれぞれ示し、ｊは対の数である。この場合、本発明者等は、そのような構造を、合計でｊ個の高屈折率層を含有するキャビティとして言及する。この構造によれば、光学的厚さ（物理的厚さ×屈折率）が光波長の４分の１（４分の１波長厚）の奇数倍であるときに特定の波長で最大の反射をもたらす。
【００４６】
図９〜図１２は、偏光面における高屈折率及び低屈折率の差が０．３〜１．０の値に固定された場合の多層偏光子の模擬反射スペクトルを示す。単一波長用の偏光子の設計を目的としていないが、結果として、広帯域リフレクタを設計するための見通しや指針を与える。
【００４７】
図９は、２、３、４、及び５個のＨ−層（曲線ａ、ｂ、ｃ、ｄをそれぞれ参照）を含有する４分の１波長キャビティの構造に関する波長の関数として、偏光子の反射率を示す。高屈折率は１．８に固定され、低屈折率は１．５に固定され、基板の屈折率は１．５２である。従って、図９は、そのような設計のシステムにおける性能について層数の影響を示す。材料は屈折率１．５を有するガラス基板上に堆積されること、また空気から入射する光が多層構造内を伝播して基板から出て行くことが想定される。光学的厚さは、５５０ｎｍの４分の１である。わずか４つの高屈折率層の場合、反射率は約５２％にまで到達する。層数の増大に伴い、反射率も著しく大きくなり、高い値から振動レベルにまでそれよりも急激に低下する。例えば、高屈折率層の数が７に増えると、偏光子の反射率は８０％程度になる。高屈折率層の数が１０にまで増えると、反射率は約９３％になる。層の厚さは、正確な製造制御のため極めて薄くしてもよいことに留意する必要がある。４００ｎｍ〜７００ｎｍの可視波長範囲では、屈折率が１．８の場合、物理的な層の厚さは５５ｎｍ〜９７ｎｍの範囲である。光学的厚さは、４分の１波長の奇数（例えば、３又は５）倍にまで増大させられる。しかしながら、層の厚さを４分の１から３又は５波長にまで増大させることで、帯域幅は低下する。
【００４８】
図１０〜図１２は、高屈折率層の数が２〜５まで変化するときの多層偏光子の模擬反射スペクトルを示す。
図１０は、２、３、４、及び５個のＨ−層（曲線ａ、ｂ、ｃ、及びｄをそれぞれ参照）を含有する４分の１波長キャビティの構造に関する波長の関数として、偏光子の反射率を示す。高屈折率は１．８５に固定され、低屈折率は１．５に固定され、基板の屈折率は１．５２である。
【００４９】
図１１は、２、３、４、及び５個のＨ−層（曲線ａ、ｂ、ｃ、及びｄをそれぞれ参照）を含有する４分の１波長キャビティの構造に関する波長の関数として、偏光子の反射率を示す。高屈折率は２．０に固定され、低屈折率は１．５に固定され、基板の屈折率は１．５２である。
【００５０】
図１２は、２、３、４、及び５個のＨ−層（曲線ａ、ｂ、ｃ、及びｄをそれぞれ参照）を含有する４分の１波長キャビティの構造に関する波長の関数として、偏光子の反射率を示す。高屈折率は２．５に固定され、低屈折率は１．５に固定され、基板の屈折率は１．５２である。図９のスペクトルとの比較では、屈折率の比較の増大と共に反射率及び帯域幅の両方が増大することが示されている。
【図面の簡単な説明】
【００５１】
【図１】本発明の一実施形態によるバックライト・モジュールの断面図。
【図２】本発明の別の実施形態によるバックライト・モジュールの概略図。
【図３】多層偏光子、両面エレクトロルミネセンス・パネル、及び透明基板からなる本発明の別の実施形態によるバックライト・モジュールの概略図。
【図４】多層偏光子、及び両面エレクトロルミネセンス・パネルからなる本発明の別の実施形態によるバックライト・モジュールの概略図。
【図５】多層偏光子、片面エレクトロルミネセンス・パネル、及び光散乱構造からなる本発明の別の実施形態によるバックライト・モジュールの概略図。
【図６】光源のアセンブリからなる本発明の別の実施形態によるバックライト・モジュールの概略図。
【図７】光源のアセンブリからなる本発明の別の実施形態によるバックライト・モジュールの概略図。
【図８】本発明による液晶ディスプレイの概略図。
【図９】偏光子の平面内における高屈折率と低屈折率との差が０．３〜１．０の値に固定された場合であって、多層偏光子の模擬反射スペクトルを示す図。偏光子の反射率は、２、３、４、及び５Ｈ−層を含有する４分の１波長キャビティの構造に関する波長の関数として示される。高屈折率が１．８に固定され、低屈折率が１．５に固定され、基板の屈折率が１．５２である場合の模擬反射スペクトルを示す図。
【図１０】偏光子の平面内における高屈折率と低屈折率との差が０．３〜１．０の値に固定された場合であって、多層偏光子の模擬反射スペクトルを示す図。偏光子の平面内における高屈折率と低屈折率との差が０．３〜１．０の値に固定された場合であって、多層偏光子の模擬反射スペクトルを示す図。偏光子の反射率は、２、３、４、及び５Ｈ−層を含有する４分の１波長キャビティの構造に関する波長の関数として示される。高屈折率が１．８５に固定され、低屈折率が１．５に固定され、基板の屈折率が１．５２である場合の模擬反射スペクトルを示す図。
【図１１】偏光子の平面内における高屈折率と低屈折率との差が０．３〜１．０の値に固定された場合であって、多層偏光子の模擬反射スペクトルを示す図。偏光子の反射率は、２、３、４、及び５Ｈ−層を含有する４分の１波長キャビティの構造に関する波長の関数として示される。高屈折率が２．０に固定され、低屈折率が１．５に固定され、基板の屈折率が１．５２である場合の模擬反射スペクトルを示す図。
【図１２】偏光子の平面内における高屈折率と低屈折率との差が０．３〜１．０の値に固定された場合であって、多層偏光子の模擬反射スペクトルを示す図。偏光子の反射率は、２、３、４、及び５Ｈ−層を含有する４分の１波長キャビティの構造に関する波長の関数として示される。高屈折率が２．５に固定され、低屈折率が１．５に固定され、基板の反射率が１．５２である場合の模擬反射スペクトルを示す図。
【図１】
2009533811.tif 000027
【図２】
2009533811.tif 000028
【図３】
2009533811.tif 000029
【図４】
2009533811.tif 000030
【図５】
2009533811.tif 000031
【図６】
2009533811.tif 000032
【図７】
2009533811.tif 000033
【図８】
2009533811.tif 000034
【図９】
2009533811.tif 000035
【図１０】
2009533811.tif 000036
【図１１】
2009533811.tif 000037
【図１２】
2009533811.tif 000038
【国際調査報告】
2009533811.tif 000039
2009533811.tif 000040
2009533811.tif 000041
2009533811.tif 000042
2009533811.tif 000043